(57)【要約】  【課題】  有効期限が過ぎた場合に自動的にロック設定がされることにより、レンタル機器として用いることができる光ディスク再生装置を提供する。  【解決手段】  有効期限設定手段２２１により装置の使用の有効期限が日数または再生時間で設定され、光ディスクがセットされたときに装置がロック設定されているとロック設定判定手段２２２により判定された場合に、ロック解除用光ディスクがセットされるとロック解除がロック解除手段２２３により行われる。ロック解除された後に有効期限が切れていると有効期限判定手段２２５により判定されて有効期限の延長を行ったとき、あるいは有効期限が切れていないと判定されたときに、再生開始処理手段２２６により再生を開始させる処理に移る。有効期限が切れていて有効期限の延長を行わないときには、ロック設定手段２２７によりロック設定される。【選択図】      図１
2006040384.tif 000002
【特許請求の範囲】
【請求項１】
光ディスクに記録された情報を再生する光ディスク再生装置において、装置の使用の有
効期限を日数または再生時間で設定する有効期限設定手段と、光ディスクがセットされた
ときに装置がロック設定されているか否かを判定するロック設定判定手段と、前記ロック
設定されていると判定された場合にロック解除用の光ディスクがセットされるとロック解
除を行うロック解除手段と、前記ロック設定されていると判定され、且つロック解除用の
光ディスクがセットされなかった場合にロック解除用の光ディスクをセットするようにメ
ッセージをディスプレイ装置に表示させるメッセージ表示手段と、前記ロック解除された
後に有効期限が切れているか否かを判定する有効期限判定手段と、前記有効期限が切れて
いると判定されて前記有効期限の延長を行ったとき、あるいは前記有効期限が切れていな
いと判定されたときに再生を開始させる処理に移る再生開始処理手段と、前記有効期限が
切れていて前記有効期限の延長を行わないときにロック設定を行うロック設定手段とを有
するシステムコントローラを備えたことを特徴とする光ディスク再生装置。
【請求項２】
光ディスクに記録された情報を再生する光ディスク再生装置において、装置の使用の有
効期限を設定し、前記有効期限が切れたときにロック設定を行う機能を有し、前記有効期
限が切れた場合に、ロック解除用の光ディスクにより前記ロック設定を解除するシステム
コントローラを備えたことを特徴とする光ディスク再生装置。
【請求項３】
前記システムコントローラは、装置の使用の有効期限を設定する有効期限設定手段と、
光ディスクがセットされたときに装置がロック設定されているか否かを判定するロック設
定判定手段と、前記ロック設定されていると判定された場合にロック解除用の光ディスク
がセットされるとロック解除を行うロック解除手段と、前記ロック解除された後に有効期
限が切れているか否かを判定する有効期限判定手段と、前記有効期限が切れていると判定
されて前記有効期限の延長を行ったとき、あるいは前記有効期限が切れていないと判定さ
れたときに再生を開始させる処理に移る再生開始処理手段と、前記有効期限が切れていて
前記有効期限の延長を行わないときにロック設定を行うロック設定手段とを有することを
特徴とする請求項２に記載の光ディスク再生装置。
【請求項４】
前記有効期限設定手段において設定される有効期限は、日数または再生時間で設定する
ことを特徴とする請求項３に記載の光ディスク再生装置。
【請求項５】
前記システムコントローラは、前記ロック設定されていると判定され、且つロック解除
用の光ディスクがセットされなかった場合に、ロック解除用の光ディスクをセットするよ
うにメッセージをディスプレイ装置に表示させるメッセージ表示手段を有することを特徴
とする請求項３に記載の光ディスク再生装置。
【発明の詳細な説明】
【技術分野】
【０００１】
本発明は、光ディスクに記録された情報を再生する光ディスク再生装置に関し、特に、
レンタルに用いられる光ディスク再生装置に関する。
【背景技術】
【０００２】
最近では、映画やスポーツなどの映像をデジタルデータ化して、例えばＤＶＤ（デジタ
ル・バーサタイル・ディスク）などの光ディスクに録画されており、このような光ディス
クは、光ディスク再生装置にセットされ、再生することにより、映画やスポーツを視聴す
ることができるようになっている。
【０００３】
また、最近では、映画やスポーツなどを録画したＤＶＤなどの光ディスクに対して、所
要のレンタル料金および使用の有効期限の設定を行って、ユーザ（客）に貸し出すことを
業務とするレンタルショップなどが近頃多く見られるようになってきた。このようなレン
タルショップなどにおいては、ユーザが借りたい光ディスクに対して、所要のレンタル料
金および使用の有効期限の設定を行って、ユーザに貸し出している。そして、ユーザは、
借りてきた光ディスクを自分の光ディスク再生装置にセットして、その光ディスクを再生
可能にするために、例えば、その光ディスクに予め記録されているパスワードを光ディス
ク再生装置に入力して、ロックを解除して、その光ディスクを再生している。
【特許文献１】特開平１０−３３４５９２号公報
【特許文献２】特開２００２−１２３８０１号公報
【特許文献３】特開２００１−２８３０１８号公報
【発明の開示】
【発明が解決しようとする課題】
【０００４】
ところで、光ディスクのレンタルではなく、光ディスク再生装置自体をレンタルする場
合、従来の光ディスク再生装置では、装置自体に使用の有効期限を設定する機能が無いの
で，レンタルショップでは、光ディスク再生装置の貸し出し時に、貸し出しの年月日およ
び使用の有効期限の年月日を伝票に記入して、その電表をユーザに渡し、有効期限が来る
と、ユーザがレンタルショップに光ディスク再生装置を返しに来るようになっているが、
もし、有効期限が過ぎても返しに来なかった場合は、延長料金が加算されることになる。
【０００５】
ところが、このような従来の光ディスク再生装置を貸し出しする場合、レンタルショッ
プ側では、使用の有効期限が来てもユーザが返しに来なかった場合、ユーザに電話などで
返却を通告したり、延長する場合は延長料金を徴収したりしなければならないので、業務
が煩わしく、営業効率の低下を招いていた。一方、ユーザ側では、光ディスク再生装置の
使用の有効期限が切れても、その光ディスク再生装置をそのまま再生に使用できると言う
ことで、使用していないにも拘わらず、延長料金を徴収されたりしていた。したがって、
従来の光ディスク再生装置は、レンタルとして用いた場合、レンタルショップ側にとって
は営業効率が悪く、一方、ユーザ側にとっては、いつも有効期限を気にしながら使用しな
ければならないので、煩わしかった。
【０００６】
なお、特許文献１の従来技術は、情報伝送サービスなどの利用制限に関するものであり
、設定された利用制限時間を超えている場合は、再生出力を停止するようにしているが、
光ディスク再生装置のレンタルに関するものではない。特許文献２の従来技術は、機器、
時間、地域などの条件で、再生許可／再生制限を判断するものであり、光ディスク再生装
置のレンタルに関するものではない。特許文献３の従来技術は、データファイルのレンタ
ルに関するものであり、光ディスク再生装置のレンタルに関するものではない。
【０００７】
本発明は、上記のような課題を解決するためになされたもので、予め設定された使用の
有効期限が過ぎた場合に、自動的にロック設定が行われる機能を追加することにより、レ
ンタル機器として用いることができる光ディスク再生装置を提供することを目的とする。
【課題を解決するための手段】
【０００８】
上記目的を達成するために、請求項１の発明は、装置の使用の有効期限を日数または再
生時間で設定する有効期限設定手段と、光ディスクがセットされたときに装置がロック設
定されているか否かを判定するロック設定判定手段と、前記ロック設定されていると判定
された場合にロック解除用の光ディスクがセットされるとロック解除を行うロック解除手
段と、前記ロック設定されていると判定され、且つロック解除用の光ディスクがセットさ
れなかった場合にロック解除用の光ディスクをセットするようにメッセージをディスプレ
イ装置に表示させるメッセージ表示手段と、前記ロック解除された後に有効期限が切れて
いるか否かを判定する有効期限判定手段と、前記有効期限が切れていると判定されて前記
有効期限の延長を行ったとき、あるいは前記有効期限が切れていないと判定されたときに
再生を開始させる処理に移る再生開始処理手段と、前記有効期限が切れていて前記有効期
限の延長を行わないときにロック設定を行うロック設定手段とを有するシステムコントロ
ーラを備えたことを特徴とする光ディスク再生装置を提供する。
【０００９】
この構成において、有効期限設定手段により、装置の使用の有効期限が日数または再生
時間で設定され、光ディスクがセットされたときに装置がロック設定されているとロック
設定判定手段により判定された場合に、ロック解除用の光ディスクがセットされるとロッ
ク解除がロック解除手段により行われる。前記ロック設定されていると判定され、且つロ
ック解除用の光ディスクがセットされなかった場合には、メッセージ表示手段は、ロック
解除用の光ディスクをセットするようにメッセージをディスプレイ装置に表示する。前記
ロック解除された後に有効期限が切れていると有効期限判定手段により判定されて前記有
効期限の延長を行ったとき、あるいは前記有効期限が切れていないと判定されたときに、
再生開始処理手段により再生を開始させる処理に移る。前記有効期限が切れていて前記有
効期限の延長を行わないときには、ロック設定手段によりロック設定される。
【００１０】
この構成によれば、予め設定された有効期限が過ぎた場合に、自動的にロック設定が行
われるので、レンタル機器として用いることができる光ディスク再生装置を提供すること
ができる。
【００１１】
請求項２の発明は、装置の使用の有効期限を設定し、前記有効期限が切れたときにロッ
ク設定を行う機能を有し、前記有効期限が切れた場合に、ロック解除用の光ディスクによ
り前記ロック設定を解除するシステムコントローラを備えたことを特徴とする光ディスク
再生装置を提供する。
【００１２】
この構成において、設定された有効期限が切れると、ロック設定される。そして、ロッ
ク解除用の光ディスクがセットされると、ロック設定が解除される。したがって、この構
成によれば、予め設定された有効期限が過ぎた場合に、自動的にロック設定が行われるの
で、レンタル機器として用いることができる光ディスク再生装置を提供することができる
。
【００１３】
請求項３の発明では、請求項２の発明において、前記システムコントローラは、装置の
使用の有効期限を設定する有効期限設定手段と、光ディスクがセットされたときに装置が
ロック設定されているか否かを判定するロック設定判定手段と、前記ロック設定されてい
ると判定された場合にロック解除用の光ディスクがセットされるとロック解除を行うロッ
ク解除手段と、前記ロック解除された後に有効期限が切れているか否かを判定する有効期
限判定手段と、前記有効期限が切れていると判定されて前記有効期限の延長を行ったとき
、あるいは前記有効期限が切れていないと判定されたときに再生を開始させる処理に移る
再生開始処理手段と、前記有効期限が切れていて前記有効期限の延長を行わないときにロ
ック設定を行うロック設定手段とを有するので、装置の使用の有効期限が日数または再生
時間で設定でき、光ディスクがセットされたときに装置がロック設定されている場合に、
ロック解除用の光ディスクがセットされるとロック解除ができる。前記ロック解除された
後に有効期限が切れていると判定されて前記有効期限の延長を行ったとき、あるいは前記
有効期限が切れていないと判定されたときに、再生を開始させる処理に移すことができる
。前記有効期限が切れていて前記有効期限の延長を行わないときには、ロック設定できる
。
【００１４】
請求項４の発明では、請求項３の発明において、前記有効期限設定手段において設定さ
れる有効期限は、日数または再生時間で設定するので、各ユーザの使い方に応じて有効期
限を設定でき、したがって、レンタルショップ側とユーザ側との調和を図ったレンタル業
務も可能となる。例えば、有効期限を日数で設定すれば、光ディスク再生装置を毎日使用
するユーザにとっては問題ないが、たまにしか使用しないユーザにとっては、あまり使用
していないにも拘わらず、期限が来れば光ディスク再生装置を返却しなければならないと
いう問題が発生するが、そのようなユーザに対しては、有効期限を再生時間で設定してお
くと、そのような問題が発生することがない。
【００１５】
請求項５の発明では、請求項３の発明において、前記システムコントローラは、前記ロ
ック設定されていると判定され、且つロック解除用の光ディスクがセットされなかった場
合に、ロック解除用の光ディスクをセットするようにメッセージをディスプレイ装置に表
示させるメッセージ表示手段を有するので、ロック設定されている場合に、ロック解除用
の光ディスクをセットしなければならないことが直ぐ分かり、ユーザにとっては使い勝手
が良い。
【発明の効果】
【００１６】
以上のように本発明によれば、装置の使用の有効期限を日数または再生時間で設定する
有効期限設定手段と、光ディスクがセットされたときに装置がロック設定されているか否
かを判定するロック設定判定手段と、前記ロック設定されていると判定された場合にロッ
ク解除用の光ディスクがセットされるとロック解除を行うロック解除手段と、前記ロック
設定されていると判定され、且つロック解除用の光ディスクがセットされなかった場合に
ロック解除用の光ディスクをセットするようにメッセージをディスプレイ装置に表示させ
るメッセージ表示手段と、前記ロック解除された後に有効期限が切れているか否かを判定
する有効期限判定手段と、前記有効期限が切れていると判定されて前記有効期限の延長を
行ったとき、あるいは前記有効期限が切れていないと判定されたときに再生を開始させる
処理に移る再生開始処理手段と、前記有効期限が切れていて前記有効期限の延長を行わな
いときにロック設定を行うロック設定手段とを有するシステムコントローラを備えたので
、予め設定された有効期限が過ぎた場合に、自動的にロック設定が行われ、レンタル機器
として用いることができる光ディスク再生装置を提供することができる。
【００１７】
また、本発明によれば、装置の使用の有効期限を設定し、前記有効期限が切れたときに
ロック設定を行う機能を有し、前記有効期限が切れた場合に、ロック解除用の光ディスク
により前記ロック設定を解除するシステムコントローラを備えたので、予め設定された有
効期限が過ぎた場合に、自動的にロック設定が行われ、レンタル機器として用いることが
できる光ディスク再生装置を提供することができる。
【発明を実施するための最良の形態】
【００１８】
以下、添付図面を参照しつつ、本発明の実施の形態について説明する。図１は本発明の
一実施形態に係る光ディスク再生装置の構成を示すブロック図である。
【００１９】
この光ディスク再生装置は、光ディスク１を回転させるスピンドルモータ５と、光ディ
スク１に記録された情報を再生するためのレーザ光を出射すると共に光ディスク１からの
反射光を受光する光ピックアップ２と、この光ピックアップ２を光ディスク１の半径方向
に移動させるためのスレッド３と、システムコントローラ２２の指示に応じてスピンドル
モータ５およびスレッド３を駆動すると共に光ピックアップ２に内蔵された対物レンズ（
図示せず）を動かすことによりレーザ光の焦点位置を光ディスク１の記録面に対して垂直
方向および水平方向に移動させる制御を行うサーボ制御部４とを備えている。
【００２０】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとサブピクチャデータとビデオデータとを分離
するストリーム分離部９とを備えている。
【００２１】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力されたビデオデ
ータを入力して所定のデコード処理を行うビデオデコーダ１５と、このビデオデコーダ１
５でのデコード処理を行うためにデータを一時的に格納するＲＡＭ１４とを備えている。
【００２２】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して画像をディスプレイ装置２０に表示させるビデオエンコ
ーダ１８と、オーディオデコーダ１１から出力されたデータをアナログのオーディオ信号
に変換して例えばスピーカ１９に供給するＤ／Ａ変換器１６とを備えている。
【００２３】
また、この光ディスク再生装置は、システムコントローラ２２に対して、再生指示を与
えるための再生キー（図示せず）、再生停止を指示するための停止キー（図示せず）、そ
の他各種操作キー（図示せず）を有する操作部２１と、装置全体を制御する前記システム
コントローラ２２とを備えている。操作部２１は、リモコン（リモートコントローラ）２
６からの操作指令を示す光信号を受信する受光手段（図示せず）を備え、この受光手段に
より光信号を電気信号に変換してシステムコントローラ２２に指令信号を入力する。
【００２４】
また、この光ディスク再生装置は、装置の各構成要素を制御したり、装置全体を制御し
たりするためのプログラムやデータなどを記憶するフラッシュＲＯＭ２３と、このフラッ
シュＲＯＭ２３のプログラムやデータに従って演算処理を行いシステムコントローラ２２
を制御するＣＰＵ２４と、装置の使用の有効期限を日数または再生時間でカウントするタ
イマ２５とを備えている。
【００２５】
システムコントローラ２２は、本実施形態の特徴とする構成要素して、装置の使用の有
効期限を日数または再生時間で設定する有効期限設定手段２２１と、光ディスクがセット
されたときに装置がロック設定されているか否かを判定するロック設定判定手段２２２と
、前記ロック設定されていると判定された場合にロック解除用の光ディスクがセットされ
るとロック解除を行うロック解除手段２２３と、前記ロック設定されていると判定され、
且つロック解除用の光ディスクがセットされなかった場合にロック解除用の光ディスクを
セットするようにメッセージをディスプレイ装置に表示させるメッセージ表示手段２２４
と、前記ロック解除された後に有効期限が切れているか否かを判定する有効期限判定手段
２２５と、前記有効期限が切れていると判定されて前記有効期限の延長を行ったとき、あ
るいは前記有効期限が切れていないと判定されたときに再生を開始させる処理に移る再生
開始処理手段２２６と、前記有効期限が切れていて前記有効期限の延長を行わないときに
ロック設定を行うロック設定手段２２７とを有している。
【００２６】
図２は本実施形態において装置のロック解除およびロック設定を行う処理を説明するた
めのフローチャートである。このフローチャートを参照して装置のロック解除およびロッ
ク設定を行う処理について説明する。
【００２７】
先ず、ユーザが光ディスク再生装置に光ディスクをセットすると、システムコントロー
ラ２２は、光ディスクがセットされたことを認識し（ステップＳ１）、ロック確認処理を
開始する（ステップＳ２）。ロック確認処理が開始すると、ロック設定判定手段２２２に
より装置がロック設定されているか否かが判定され（ステップＳ３）、ロック設定されて
いると判定された場合に、ロック解除をするために、ステップＳ１においてセットした光
ディスクに代えてロック解除用光ディスクがセットされると（ステップＳ４）、ロック解
除手段２２３により、装置のロックが解除される（ステップＳ５）。
【００２８】
その後、装置の使用の有効期限が切れているか否かが有効期限判定手段２２５により判
定される（ステップＳ６）。有効期限が日数で設定されている場合は、タイマ２５はレン
タル日からの日数をカウントし、有効期限が来れば、有効期限信号を出力する。このタイ
マ２５は、図示しないバックアップ電池により動作するので、レンタルショップ側で日数
を設定すれば、その時点からカウントを開始できるようになっている。また、有効期限が
再生時間で設定されている場合は、タイマ２５は光ディスクの再生処理が開始した時点か
らの再生時間をカウントし、この再生時間が予め設定されている時間に達すれば、有効期
限信号を出力する。なお、有効期限の設定は、例えば、レンタルショップ側の依頼でメー
カ側で設定したり、メーカ側からの指示によりレンタルショップ側で設定したりすること
ができるようになっている。あるいは、レンタルショップ側でしか分からない特定のパス
ワードを光ディスク再生装置に入力することにより、有効期限が設定できるようになって
いる。
【００２９】
このタイマ２５での処理を図３に示すフローチャートを参照して説明すると、先ず、有
効期限は、日数で設定されているか、再生時間で設定されているかの判定が行われ（ステ
ップＮ１）、日数で設定されている場合は、タイマ２５は、レンタル日からの日数をカウ
ントし（ステップＮ２）、設定日数に達すれば（ステップＮ３）、有効期限信号を出力す
る（ステップＮ４）。なお、レンタル日からの日数のカウント時点は、レンタル日の翌日
からカウントしても良いし、当日の貸し出し時刻によって、カウント開始日を当日あるい
は翌日からカウントしても良い。
【００３０】
また、有効期限が再生時間で設定されている場合は、タイマ２５は、レンタル日からの
再生時間をカウントし（ステップＮ５）、設定再生時間に達すれば（ステップＮ６）、有
効期限信号を出力する（ステップＮ４）。したがって、システムコントローラ２２の有効
期限判定手段２２５は、タイマ２５からの有効期限信号を入力することにより、有効期限
が切れたことを判定することができる。
【００３１】
図２に戻って、有効期限判定手段２２５により有効期限が切れていると判定されて（ス
テップＳ６）、有効期限の延長を行ったとき、あるいは有効期限が切れていないと判定さ
れたときに、再生開始処理手段２２６は再生を開始させる処理に移る。なお、前記有効期
限の延長は、例えば、ステップＳ５にてロック解除するときに有効期限が延長するように
、装置に予め設定されている場合に行われる。
【００３２】
一方、ステップＳ５においては、ロック解除しても有効期限の延長を行わないように予
め設定されている場合は、ロック設定手段２２７によりロック設定が行われ、装置のトレ
イがオープンされ（ステップＳ９）、セットされている光ディスクが取り出される。
【００３３】
また、ステップＳ４において、ロック解除用の光ディスクがセットされないときは、メ
ッセージ表示手段２２４は、ロック解除用の光ディスクをセットするようにメッセージを
ディスプレイ装置２０に表示させる（ステップＳ１１）。そして、ロック解除用の光ディ
スクを装置にセットするためにトレイがオープンされ（ステップＳ９）、これにより、ロ
ック解除用の光ディスクをセットすると、ロックが解除されることになる。
【００３４】
以上説明したように本実施形態によれば、予め設定された有効期限が過ぎた場合に、自
動的にロック設定が行われるので、レンタル機器として用いることができる光ディスク再
生装置を提供することができる。
【図面の簡単な説明】
【００３５】
【図１】本発明の一実施形態に係る光ディスク再生装置の構成を示すブロック図である。
【図２】前記実施形態において装置のロック解除およびロック設定を行う処理を説明するためのフローチャートである。
【図３】前記実施形態においてタイマの処理を説明するためのフローチャートである。
【符号の説明】
【００３６】
１    光ディスク
２２    システムコントローラ
２２１    有効期限設定手段
２２２    ロック設定判定手段
２２３    ロック解除手段
２２４    メッセージ表示手段
２２５    有効期限判定手段
２２６    再生開始処理手段
２２７    ロック設定手段
【図１】
2006040384.tif 000003
【図２】
2006040384.tif 000004
【図３】
2006040384.tif 000005